(57)【要約】【課題】  通信用端子板に電線を容易に通すことが可能な電線通し工具を提供する。【解決手段】  電線通し工具１０は、通線口と電線端子とを有し、これらを電線通路で接続してなる通信用端子板に、前記通線口から前記電線端子へ電線を挿通させる電線通し工具１０であって、前記電線通路よりも長く、且つ柔軟性および耐座屈性を有し、前記電線通路内を移動可能とした板状部材１２と、前記板状部材１２の先端部１２ａに形成され、前記電線が挿通される孔部１４と、を備えた構成である。【選択図】    図１
2006223034.tif 000002
【特許請求の範囲】
【請求項１】
一方の開口から他方の開口へ向けて電線を通す通路に挿入される板状部材と、
前記板状部材の先端部に形成された電線を挿通させる孔部と、
前記板状部材に一体形成され、前記孔部の近傍に設けられた線状の補強部材または前記孔部の近傍を他の部分に比べて前記板状部材の厚さを変化させてなる補強部材と、
を備えたことを特徴とする電線通し工具。
【請求項２】
通線口と電線端子とを有し、これらを電線通路で接続してなる通信用端子板に、前記通線口から前記電線端子へ電線を挿通させる電線通し工具であって、
前記電線通路よりも長く、且つ柔軟性および耐座屈性を有し、前記電線通路内を移動可能とした板状部材と、
前記板状部材の先端部に形成され、前記電線が挿通される孔部と、
を備えたことを特徴とする電線通し工具。
【請求項３】
前記板状部材には、前記孔部の近傍に線状の補強部材または前記孔部の近傍を他の部分に比べて厚さを変化させてなる補強部材が設けられたことを特徴とする請求項２に記載の電線通し工具。
【請求項４】
前記板状部材における前記孔部が設けられた側と反対の他方の先端部に、手持ち部が設けられたことを特徴とする請求項１ないし３のいずれかに記載の電線通し工具。
【発明の詳細な説明】
【技術分野】
【０００１】
本発明は電線通し工具に係り、特に通信用端子板へ電線を引き通すために使用される電線通し工具に関する。
【背景技術】
【０００２】
通信用端子板の例としては、アレスタ端子板や接続端子板、保安器等が挙げられる。そして通信用端子板の構成を、保安器を例にして説明すると、次のようなものである。図６は保安器の概略側面図である。図７は保安器サブモジュールの概略平面図である。保安器１は、加入者線を通って侵入する雷サージ等から交換機を保護するために、交換機と加入者端末とを接続する通信回線の間に設けられるものであり、複数の保安器サブモジュール２を備えた構成である。この保安器サブモジュール２は、交換機側の通信回線が接続される端子３と、加入者端末側の通信回線（加入者線）が接続される電線端子４とを備えるとともに、これらの端子を接続する回路パターン（不図示）を備えている。そして前記回路パターンには、アレスタや試験弾器５が設けられている。電線端子４は、保安器サブモジュール２の短辺側の前面に設けられており、この前面と交わる長辺側の側面に設けられた通線口６と、保安器サブモジュール２の内部に設けられた電線通路７によって圧接されている。
【０００３】
このような保安器１に加入者線（電線）を接続する場合、まず電線の先端を数回撚った後、作業員の手によって電線を通線口６から差し込み、電線通路７を介して電線端子４まで通し、最後に電線と電線端子４とを接続させていた。
なお通信用端子板に電線を通すための工具について開示された文献は不知である。
【発明の開示】
【発明が解決しようとする課題】
【０００４】
作業員の手作業により通線口から電線端子まで電線を通しているが、電線通路は狭いので、電線を通しにくく作業効率が悪いものとなっていた。具体的には、通信用端子板の電線通路には２本のジャンパ線が収容されるので、まず１本目のジャンパ線は既設ジャンパとして入線してあり、２本目の切替用ジャンパ線を通しているが、電線通路が狭いため２本目の切替用ジャンパ線が１本目の既設ジャンパ線に引っ掛って通りにくくなるので、作業効率が非常に悪くなっていた。
【０００５】
また電線は電線通路を介して通線口から電線端子に引き込まれるが、保安器に設けられた各通線口に電線を通していくと、保安器からは複数の電線が延びることになる。したがって電線を保安器に引き込む作業をしていくと、通線口６が他の通線口に挿入されている他の電線によって覆われて、新たに電線が引き込まれる通線口６を確認し難くなったり、新たに引き込まれる電線が前記他の電線に引っ掛ったりする等の問題が生じることになる。
そこで本発明は、通信用端子板に電線を容易に通すことが可能な電線通し工具を提供することを目的とする。
【課題を解決するための手段】
【０００６】
上記目的を達成するために、本発明に係る電線通し工具は、一方の開口から他方の開口へ向けて電線を通す通路に挿入される板状部材と、前記板状部材の先端部に形成された電線を挿通させる孔部と、前記板状部材に一体形成され、前記孔部の近傍に設けられた線状の補強部材または前記孔部の近傍を他の部分に比べて前記板状部材の厚さを変化させてなる補強部材と、を備えたことを特徴としている。
【０００７】
また通線口と電線端子とを有し、これらを電線通路で接続してなる通信用端子板に、前記通線口から前記電線端子へ電線を挿通させる電線通し工具であって、前記電線通路よりも長く、且つ柔軟性および耐座屈性を有し、前記電線通路内を移動可能とした板状部材と、前記板状部材の先端部に形成され、前記電線が挿通される孔部と、を備えたことを特徴としている。
【０００８】
さらに前記板状部材には、前記孔部の近傍に線状の補強部材または前記孔部の近傍を他の部分に比べて厚さを変化させてなる補強部材が設けられたことを特徴としている。
さらにまた前記板状部材における前記孔部が設けられた側と反対の他方の先端部に、手持ち部が設けられたことを特徴としている。
【発明の効果】
【０００９】
板状部材は、柔軟性とともに座屈しない特徴を有しているので、電線通路に挿入されても電線通路に沿って進入し、通線口から通信用端子板の外に出すことができる。また既設電線が通線口を覆っていても、板状部材を電線端子から通線口に向けて送り込むと、板状部材を既設電線の覆いの外側に出すことができる。そして板状部材の先端部に設けられた孔部に電線を通した後、板状部材を通線口側（一方の開口）から電極端子側（他方の開口）へ引き出すと、電線は、板状部材の移動に伴って電線通路内に引き込まれ、電線端子から引き出されることができる。
【００１０】
また既設電線が電線通路に有る場合でも、板状部材は柔軟性等を有しているから、既設電線を傷付けることなく、電線通路に容易に通すことができる。そして新たな電線を電線通路に引き通すときでも、板状部材が既設電線に引っ掛ることなく引き出されることが可能である。
したがって電線通し工具を用いることによって、電線を通信用端子板に容易に引き通すことができる。
【００１１】
また板状部材に設けられた孔部の周囲に線状の補強部材または板厚を厚くしてなる補強部材を設けたので、孔部によって板状部材の強度や耐久性等が低下するのを防ぐことができる。したがって通信用端子板に電線を引き通す作業中に、孔部から板状部材に亀裂等が生じて電線通し工具が破損することが無く、作業効率が低下するのを防ぐことができる。
【００１２】
また板状部材に手持ち部を設けることにより、作業員が電線通し工具を持ち易くなり、また手持ち部に紐通し孔を設けて紐を通し首より掛けることで携帯性が良くなるので、作業効率が向上する。
【発明を実施するための最良の形態】
【００１３】
以下に、本発明に係る電線通し工具の最良の実施形態について説明する。まず第１の実施形態について説明する。図１は第１の実施形態に係る電線通し工具の平面図である。電線通し工具１０は、電気通信設備の所内工事（ノード・リンク等）において、通信用端子板へ電線を引き通すときに使用される。そして電線通し工具１０が使用される前記通信用端子板は、図７に一例を示すように、前記通信用端子板のある一前面に設けられた電線端子４と、他の一側面に設けられた電線の通線口６とを、前記通信用端子板の内部に設けられた電線通路７で接続したものである。そして電線通路７は、屈曲して形成されている。なお電線端子４は、電線通路７が一側面に開口している箇所の上下に設けられており、例えばＵスリット端子とすることができる。
【００１４】
第１の実施形態に係る電線通し工具１０は、前記通信用端子板の電線端子４から通線口６までの電線通路７を移動可能な板状部材１２を有している。したがって電線通し工具１０は、電線通路７よりも幅が狭く、且つ電線通路７よりも高さが低いものであり、さらに電線通路７よりも長い板状部材１２を有している。この板状部材１２は、柔軟性および耐座屈性を有するとともに、一方の先端部１２ａに後述する孔部１４が設けられたときの強度や耐久性等が考慮され、且つ電線通路７に挿入されたときに滑りがよい材質で形成されている。
【００１５】
電線通路７に挿入される板状部材１２の一方の先端部１２ａには、電線の挿通される孔部１４が設けられている。この孔部１４は、電線の挿通させ易さや、電線に対しての傷付け難さ等を考慮して、大きさや形状が決定されている。すなわち孔部１４の大きさは、電線を通すことができる大きさであればよいが、少なくとも２本の電線を通すことのできる大きさが好ましい。電線通路７には２本のジャンパ線が通されるので、これらの電線を電線通路７に一度に通すことができれば作業効率が向上するから、少なくとも２本の電線を通すことができる大きさが好ましいのである。
【００１６】
また孔部１４の形状は、孔部１４の全体形状が板状部材に沿って長くなったものが好ましく、また一方の先端部側１２ａにおける孔部１４の形状が湾曲になっているのが好ましい。これは、孔部１４の全体形状が細長ければ、孔部１４が大きくなるので電線を通し易くなり、また孔部１４が湾曲していれば電線を傷付け難いからである。すなわち板状部材１２を前記通信用端子板から引き出す場合、電線は、板状部材１２の引き出し方向とは逆（一方の先端部側１２ａ）の孔部１４の端に引っ掛ることになるので、この孔部１４の端が三角形や四角形等の角に該当していれば傷つく虞がある。したがって孔部１４の形状は、楕円形、円形、三角形または四角形等の如何なる形状であってもよいが、前述した４つの形状の中で最も好ましいのは楕円形である。
【００１７】
また板状部材１２の他方の先端部１２ｂには、矢型に形成されてなる手持ち部２４が設けられ、作業員が電線通し工具１０を持ち易いようになっている。そして手持ち部には紐通し孔２６を設けることもでき、この紐通し孔２６に紐を通して輪を形成することにより、作業員が紐を首から掛けることができる。したがって電線通し工具１０の携帯性が良くなり、作業効率が向上する。
【００１８】
次に、電線通し工具１０の使用方法について説明する。図２は電線通し工具を用いて電線を通信用端子板に通すときの説明図である。なお図２は通信用端子板の一部分のみを示している。まず電線通し工具１０を前記通信用端子板１６に挿入する（Ｓ１００）。具体的には、板状部材１２の孔部１４が設けられた側を電線端子４から電線通路７の中に挿入する。なお電線通路７は屈曲しているが、板状部材１２は前記屈曲に応じて変形するので、板状部材１２を電線通路７に容易に挿入することが可能である。また板状部材１２は、復元性を有しているので、前記屈曲に応じて変形しても元の形状に戻ることが可能である。そして孔部１４が通線口６から出るまで、さらに電線通し工具１０を通信用端子板１６（電線通路７）内に挿入する（Ｓ１１０）。この後、孔部１４に電線１８を挿通する（Ｓ１２０）。このとき電線１８の先端を撚る必要はない。そして電線通し工具１０を通信用端子板１６から引き出して、電線１８を通信用端子板１６に引き通す（Ｓ１３０）。具体的には、板状部材１２を通線口６から電線端子４へ向けて引き出すと、電線１８は孔部１４に引っ掛かり、板状部材１２の移動に伴って通線口６から電線端子４へ引き通される。この後、電線１８を孔部１４から抜き、電線１８と電線端子４とを圧接する（Ｓ１４０）。なお電線端子４をＵスリット端子にしておけば、電線１８と電線端子４との接続を容易に行うことができる。
【００１９】
このような電線通し工具１０には、柔軟性を有するとともに座屈することのない板状部材１２を用いているので、板状部材１２を狭い電線通路７に容易に通すことができ、また引き出すことができる。そして電線１８を孔部１４に挿通した後、板状部材１２を通信用端子板１６から引き出すことによって、電線１８をスムーズに通線口６から電線端子４へ引き込むことができる。特に２本の電線１８を通信用端子板１６に引き込む場合において、電線１８を１本ずつ電線通路７に通すときでも、上述したように１本目の電線１８を容易に通信用端子板１６に引き込むことができる。そして２本目の電線１８を通信用端子板１６に引き込むときでも、板状部材１２が柔軟性および座屈することのない特徴を有していることから、１本目の電線１８（既設電線）を板状部材１２が傷付けることはなく、板状部材１２を容易に電線端子４から通線口６へ通すことができる。また２本目の電線１８を通信用端子板１６に引き込むときでも、板状部材１２の引き出しとともに２本目の電線１８を通信用端子板１６に引き込むことができる。このとき板状部材１２や２本目の電線１８が既設電線に引っ掛ることがないので、２本目の電線１８を通信用端子板１６に容易に引き込むことができる。なお孔部１４に２本の電線１８を挿通すれば、電線１８を通信用端子板１６に一度に引き込むことができ、作業効率を向上させることができる。
【００２０】
また通線口６が、他の通線口に挿入されている他の電線によって覆われている場合でも、板状部材１２を電線端子４から通線口６に向けて送り込むと、通線口６を覆っている他の電線の外側に板状部材１２に設けられた孔部１４を出すことができる。この孔部１４に電線１８を通した後、板状部材１２を通線口６から電線端子４へ向けて出すと、電線１８は前記他の電線に引っ掛ることなく通信端子板１６に引き通される。したがって電線通し工具１０を用いることによって、電線１８を容易に通信用端子板１６に引き込むことができる。
【００２１】
そして、このような特徴を有する電線通し工具１０を用いて電線１８を通信用端子板１６に引き込む本実施形態の場合と、従来の電線の先端を撚って通信用端子板１６に差し込む場合との作業効率を比較すると、本実施形態の構成では、従来に比べて３０％以上の作業効率を図ることができた。
【００２２】
なお電線通し工具１０は、タイラップやインシュロック等の結束バンドの先端部に孔部１４を設けて形成することもできるが、先端部１２ａの孔部１４が破損または座屈する確率が大きい。これにより電線通し工具１０は、先端部１２ａの孔部１４を補強し、極めて容易に、且つ安価に作製することができる。
【００２３】
また板状部材１２の前記一方の先端部１２ａは、図１に示すように多角形状であるが、この形状に限定されることはなく、電線通し工具１０を通信用端子板１６に通しやすい形状が適宜設定される。したがって板状部材１２の前記一方の先端部１２ａは、図３（Ａ）に示すような円形状であってもよく、図３（Ｂ）に示すような直線状であってもよい。
【００２４】
さらに板状部材１２の前記他方の先端部１２ｂには、図１に示すように手持ち部２４が設けられて、作業員が電線通し工具１０を持ち易いようになっているが、手持ち部２４は矢型形状に限定されることはなく、作業員が電線通し工具１０を持ち易い形状であれば如何なるものであってもよい。したがって手持ち部２４の形状は、図３（Ｃ）に示すような円形状であってもよい。また手持ち部２４は、Ｔ字形状であってもよい。
【００２５】
次に、第２の実施形態について説明する。第２の実施形態に係る電線通し工具は、第１の実施形態に係る電線通し工具の変形例について説明するので、同構成の部分には同番号を付し、その説明を簡略または省略する。図４は第２の実施形態に係る電線通し工具の平面図である。第２の実施形態に係る電線通し工具２０は、板状部材１２を有し、その周縁全体には補強部材２２が設けられている。この補強部材２２は、板状部材１２に孔部１４を設けると、板状部材１２の強度や耐久性等が低下するので、これを補うために設けられるものである。すなわち補強部材２２は、板状部材１２に埋め込まれて一体形成されており、糸のような線状の部材によって形成されている。一例としては、補強部材２２は、強度や耐久性を得ることのできる樹脂からなる線等であればよい。なお板状部材１２は、周縁全体に補強部材２２を設けても、柔軟性および耐座屈性を有している。
【００２６】
そして板状部材１２の一方の先端部１２ａには、電線の挿通される孔部１４が設けられ、また他方の先端部１２ｂは矢型に形成されて手持ち部となっている。
このような電線通し工具２０は、第１の実施形態で説明したＳ１００〜Ｓ１４０の使用方法と同様にして使用されればよい。
【００２７】
以上説明したように、電線通し工具２０は、板状部材１２に設けられた孔部１４の近傍に補強部材２２を設けているので、板状部材１２だけでは強度や耐久性等が得られない場合でも、強度や耐久性等を向上させることができる。また板状部材１２は、板状部材１２に補強部材２２を設けた場合でも、柔軟性を有するとともに座屈することのない特徴を備えることができる。さらに第１の実施形態と同様の効果を奏することができる。
【００２８】
なお板状部材１２は、孔部１４を設けた箇所付近において強度や耐久性等が低下し、他の部分は強度や耐久性等が低下しない場合がある。このような場合は、孔部１４を設けた箇所の近傍のみに補強部材２２を設けてもよい。図５は板状部材に部分的に補強部材を設けた電線通し工具の一部分の平面図である。板状部材１２には、図５（Ａ）に示すように、孔部１４の位置に対応して板状部材１２の周縁に補強部材２２を設けることができる。また図５（Ｂ）に示すように、孔部１４の周縁に沿って補強部材２２を設けることもできる。さらに図５（Ｃ）に示すように、板状部材１２の内部において、孔部１４を取り囲むように補強部材２２を設けることもできる。さらにまた図５（Ｄ）に示すように、板状部材１２の内部の全体に補強部材２２を設けることもできる。このような板状部材１２は、図５（Ａ）〜図５（Ｄ）の構成としても、孔部１４を設けることによって強度や耐久性等が低下することがなく、電線通し工具に必要な強度や耐久性および柔軟性や座屈に耐える特性を得ることができる。
【００２９】
また上述した第２の実施形態では、補強部材２２は線状の部材によって形成されているが、補強部材２２は他の形態であってもよい。すなわち板状部材１２の一方の先端側１２を、板状部材の他の部分に比べて厚さを変化させればよい。具体的には、少なくとも孔部１４の近傍の板状部材１２を、他の部分、例えば他方の先端部１２ｂ側と比べて板厚を厚く形成すればよい。これにより孔部１４の周囲が補強され、電線通し工具２０の強度や耐久性等を向上させることができる。
【００３０】
そして第１および第２の実施形態で説明した電線通し工具１０，２０が使用される通信端子板は、例えば４０Ａ−ＡＲＲ端子板や、これと同類の端子板全般に使用することができ、２００ＵＴＳ、Ｍ５０Ｕ、４０Ｂ−ＡＲＲ、５０Ａ／Ｂ−ＡＲＲ等に使用することができる。また電線通し工具１０，２０は、試験弾器や避雷器弾器等にも使用することができる。
【図面の簡単な説明】
【００３１】
【図１】第１の実施形態に係る電線通し工具の平面図である。
【図２】電線通し工具を用いて電線を通信用端子板に通すときの説明図である。
【図３】電線通し工具の変形例を説明する図である。
【図４】第２の実施形態に係る電線通し工具の平面図である。
【図５】板状部材に部分的に補強部材を設けた電線通し工具の一部分の平面図である。
【図６】保安器の概略側面図である。
【図７】保安器サブモジュールの概略平面図である。
【符号の説明】
【００３２】
４………電線端子、６………通線口、７………電線通路、１０，２０………電線通し工具、１２………板状部材、１４………孔部、１６………通信用端子板、１８………電線、２２………補強部材。
【図１】
2006223034.tif 000003
【図２】
2006223034.tif 000004
【図３】
2006223034.tif 000005
【図４】
2006223034.tif 000006
【図５】
2006223034.tif 000007
【図６】
2006223034.tif 000008
【図７】
2006223034.tif 000009